(57)【要約】【課題】キャビネットの内部でも安定する足場を設置するようにして、作業を安定化し、安全を確保するような自立型光配線盤を提供する。【解決手段】キャビネット１０と、このキャビネット１０内に設置され、第１の光ファイバコード及び第２の光ファイバコードを互いに接続するコネクタを収容するための光ファイバ接続収容トレイを複数有する光ユニットパネル１２と、キャビネット１０内に設置される開閉可能な点検用足場１３と、を備える自立型光配線盤１とした。【選択図】図７
0003183836.tif 000002
【実用新案登録請求の範囲】
【請求項１】
キャビネットと、
キャビネット内に設置され、第１の光ファイバコード及び第２の光ファイバコードを互いに接続するコネクタを収容するための光ファイバ接続収容トレイを複数有する光ユニットパネルと、
キャビネット内に設置される開閉可能な点検用足場と、
を備えることを特徴とする自立型光配線盤。
【請求項２】
請求項１記載の自立型光配線盤において、
雨よけ用の庇を出し入れ可能に収容するルーフ部を備えることを特徴とする自立型光配線盤。
【考案の詳細な説明】
【技術分野】
【０００１】
本考案は、光ファイバの接続部を多数収容する自立型光配線盤に関する。
【背景技術】
【０００２】
光配線盤は従来から鋭意開発がなされ、本出願人も過去に特許出願を行っている。そのような従来技術が、例えば、特許文献１（発明の名称：光配線ユニットおよび光配線盤）に開示されている。このような従来技術の光配線盤では、多数の融着接続トレイを積層して収容する、というものである。
【０００３】
さて、このような光配線盤は、屋外に設置されることもある。この場合には、小さい小屋を建てて光配線盤を設置するという対応が取られてきた。しかしながら、当然コスト的に高く、安価な手法が模索されていた。
【０００４】
そこで、図８で示すような自立型光配線盤１００が開発された。この自立型光配線盤１００は、屋外でも設置可能なように風雨に強い構造のキャビネット１０１を有するものであり、このキャビネット１０１の中に設置された光ユニットパネル１０２に光ファイバコードの接続部が収容される。
【先行技術文献】
【特許文献】
【０００５】
【特許文献１】特開２０１２−６８５６６号公報
【考案の概要】
【考案が解決しようとする課題】
【０００６】
自立型光配線盤１００で作業をする場合、図８でも示すような脚立２００やはしごなどを用いることが多い。しかしながら、自立型光配線盤１００の内部は狭いため脚立２００やはしごを外に置かなくてはならず、作業がしづらいという問題があった。また、脚立２００やはしごは脚立の設置箇所や作業員の足元が不安定であることが多く、作業員が転倒・転落するおそれがあった。特に風雨があるときは危険があった。また、脚立２００やはしごを押さえる作業員を配置することも考えられるが、作業員を増やすことはコスト上昇につながるため、好ましくなかった。
【０００７】
そこで、本考案は上記した問題に鑑みてなされたものであり、その目的は、キャビネットの内部でも安定する足場を設置するようにして、作業を安定化し、安全を確保するような自立型光配線盤を提供することにある。
【課題を解決するための手段】
【０００８】
上記課題を解決するための請求項１に係る考案は、
キャビネットと、
キャビネット内に設置され、第１の光ファイバコード及び第２の光ファイバコードを互いに接続するコネクタを収容するための光ファイバ接続収容トレイを複数有する光ユニットパネルと、
キャビネット内に設置される開閉可能な点検用足場と、
を備えることを特徴とする自立型光配線盤とした。
【０００９】
また、請求項２に係る考案は、 
請求項１記載の自立型光配線盤において、
雨よけ用の庇を出し入れ可能に収容するルーフ部を備えることを特徴とする自立型光配線盤とした。
【考案の効果】
【００１０】
このような本考案によれば、キャビネットの内部でも安定する足場を設置するようにして、作業を安定化し、安全を確保するような自立型光配線盤を提供することができる。
【図面の簡単な説明】
【００１１】
【図１】本考案を実施するための形態の自立型光配線盤の内観の正面図である。
【図２】本考案を実施するための形態の自立型光配線盤の内観の右側面図である。
【図３】本考案を実施するための形態の自立型光配線盤の内観の左側面図である。
【図４】本考案を実施するための形態の自立型光配線盤の内観の平面図である。
【図５】本考案を実施するための形態の自立型光配線盤の内観の底面図である。
【図６】本考案を実施するための形態の自立型光配線盤の足場の説明であり、図６（ａ）は開脚時の足場の平面図、図６（ｂ）は開脚時の足場の正面図、図６（ｃ）は開脚時の足場の側面図、図６（ｄ）は折り畳み時の足場の側面図である。
【図７】本考案を実施するための形態の自立型光配線盤の作業時の説明図である。
【図８】従来技術の自立型光配線盤の作業時の説明図である。
【考案を実施するための形態】
【００１２】
続いて、本考案を実施するための形態について、図１〜図７を参照しつつ説明する。まず、外観では自立型光配線盤１は、図１〜図４に示すように、キャビネット１０、ルーフ部１１、光ユニットパネル１２、点検用足場１３、分電盤１４、ＵＰＳ１５、給気フード１６、給気孔１７、換気扇１８、シャッタ１９、換気フード２０を備え、また、図５で示すように、点検孔２１、ケーブル導入孔２２を備えている。また、実際は側板の存在により内部が見えないようになっている。
【００１３】
キャビネット１０は、図４で示すように、前面側に開口を有するキャビネット本体１０ａ、および、この開口にて開閉可能に設けられる扉部１０ｂを備え、防塵および耐震構造を有している。
【００１４】
ルーフ部１１は、図２、図３で示すように、伸縮可能な庇１１ａが収納されており、特に雨天時にはこの庇１１ａを引き出すことにより機器を濡らすことなく作業ができるようにしている。
【００１５】
光ユニットパネル１２は、前後方向に出し入れ自在に支持する光ファイバ接続収容トレイを、上下方向に積層して多数有している。この光ファイバ接続収容トレイは、地上または地下から引き込んだケーブルから引き出された第１の光ファイバコード及び第２の光ファイバコードを互いに接続するコネクタを収容する。このような光ユニットパネル１２では、光ファイバ接続収容トレイを引き出して、実装光ケーブルの固定、融着接続、光ファイバコードの配線等の作業を前面で行うことができる。
【００１６】
点検用足場１３は、折り畳み可能に構成されている足場であり、通常時は側方に収容し、作業時に引き出して足場を形成することができる。この点検用足場１３については後述する。
【００１７】
分電盤１４は、電気を安全に使用するために必要な漏電遮断器（漏電ブレーカー）や配線用遮断器（安全ブレーカー）が収容されている。
【００１８】
ＵＰＳ(Uninterruptible Power Supply)１５は、商用交流電源に接続して使用する、交流入力・交流出力の無停電電源装置であり、入力電源が断になった場合も、接続されている機器に対して、一定時間にわたり停電させることなく電力を供給し続ける電源装置である。
【００１９】
給気フード１６は、キャビネット１０の下側に設けられており、雨水や風から給気孔１７を保護している。
給気孔１７は、外界から空気を導入するための孔である。
【００２０】
換気扇１８は、キャビネット１０の内部から空気を排出する。なお、換気扇１８が強制的に空気を排出するとキャビネット１０内は低圧となるため、給気孔１７から空気が補充される。
【００２１】
シャッタ１９は、換気扇１８と換気フード２０との間に配置され、雨水の浸入を防止する。これは、換気扇１８が止まっているときにシャッタ１９で塞がないと、風雨などにより換気扇１８が逆回転して逆流し、雨水を導入することになるためである。換気扇１８を回していないときはシャッタ１９を閉めて雨水が入らないようにしている。
【００２２】
換気フード２０は、雨水や風からシャッタ１９や換気扇１８を保護している。
点検孔２１は、図５で示すように、キャビネット１０の床に設けられ、床下を覗くための孔である。
ケーブル導入孔２２は、床下から挿通される光ファイバケーブルを引込む。
【００２３】
続いて本考案の特徴をなす点検用足場１３について図を参照しつつ説明する。点検用足場１３は、図６で示すように、台部１３ａ、脚部１３ｂ、リンク部１３ｃを備える。通常はリンク部１３ｃを折り曲げて、台部１３ａを持ち上げながら脚部１３ｂを閉じて、図６（ｄ）に示すような折り畳み状態とする。そして、保守作業時にのみリンク部１３ｃを伸ばしつつ台部１３ａを降ろしながら脚部１３ｂを開いて、図６（ａ），（ｂ），（ｃ）に示すような開脚状態とし、足場を発生させる。
【００２４】
このような自立型光配線盤１では、図７で示すように、作業員が点検用足場１３に載って作業を行うことができるため、特に高所の装置に対する保守作業を行うときに便利である。また、リンク部１３ｃにより脚部１３ｂは９０°以上は開かないようになされており、安定した足場を形成することができる。また、図示しないがリンク部１３ｃが移動しなくなくなる固定部を設けることで脚部１３ｂが容易に閉じないようにして安定した足場を形成することができる。
【００２５】
なお、本考案の自立型光配線盤は屋外型であって庇を出し入れできるルーフ部を有するものとして説明した。しかしながら、この屋外型の自立型光配線盤を屋内に設置しても良い。加えて、庇がでないルーフ部を有する自立型光配線盤とし、屋内に設置するような自立型光配線盤としても良い。屋内型・屋外型いずれでも点検用足場を有する自立型光配線盤とすることができる。
【００２６】
以上本考案の自立型光配線盤では以下のような利点を有する。
（１）安定した点検用足場１３がキャビネット１０内に配置されるため、キャビネット１０内における作業員は、従来のように外からではなく、キャビネット１０内の最適な位置で安心して作業することができる。また、従来のように脚立を押さえる他の作業員が不要となり、保守作業の簡略化・コスト低減に寄与する。
【００２７】
（２）また、屋外型では雨天時にはルーフ部１１から庇１１ａを突出させれば、雨水が足場１３上に落滴して濡れる事態を防止し、この点でもスリップ事故のおそれを低減しており、作業員は安心して作業することができる。
【００２８】
このように、キャビネットの内部でも安定する足場を設置するようにして、作業を安定化し、安全を確保するような自立型光配線盤を提供することができる。
【産業上の利用可能性】
【００２９】
このような本考案の自立型光配線盤は、光ファイバケーブルと光通信機器をつなぐインターフェースとして、光ケーブルの中継、光ケーブルから光コードへの変換、回線の切替・切分けなどを行う用途で好適である。
【符号の説明】
【００３０】
１：自立型光配線盤
１０：キャビネット
１１：ルーフ部
１１ａ：庇
１２：光ユニットパネル
１３：点検用足場
１３ａ：台部
１３ｂ：脚部
１３ｃ：リンク部
１４：分電盤
１５：ＵＰＳ
１６：給気フード
１７：給気孔
１８：換気扇
１９：シャッタ
２０：換気フード
【図１】
0003183836.tif 000003
【図２】
0003183836.tif 000004
【図３】
0003183836.tif 000005
【図４】
0003183836.tif 000006
【図５】
0003183836.tif 000007
【図６】
0003183836.tif 000008
【図７】
0003183836.tif 000009
【図８】
0003183836.tif 000010